(57)【特許請求の範囲】
【請求項１】
排水溝の上面に敷設された可撓性のグレーチングを巻き取って洗浄する装置であって、
本体と、この本体の下部に取り付けられ上記の可撓性のグレーチングが敷設された排水溝の幅より広い間隔で配置されこの排水溝を跨いで上記の本体をこの排水溝に沿って移動させる車輪と、上記の本体内に設けられ上記の可撓性のグレーチングを巻取および繰り出す巻取リールと、上記の本体内に設けられ上記の巻取リールに巻き取られるグレーチングを洗浄する洗浄機構とを具備したことを特徴とするグレーチングの巻取洗浄装置。
【請求項２】
前記の洗浄機構は、前記の巻取リールに巻き取られるグレーチングに洗浄液を噴射するノズルおよびこのノズルに洗浄液を供給するポンプとを備えていることを特徴とする請求項１のグレーチングの巻取洗浄装置。
【請求項３】
前記の洗浄機構は、前記の巻取リールから繰り出されるグレーチングに高圧空気を噴射する空気ノズルを備えていることを特徴とする請求項２のグレーチングの巻取洗浄装置。
【請求項４】
前記の洗浄機構は、洗浄液を貯溜し、前記の巻取リールに巻き取られるグレーチングがこの洗浄液中に浸漬される洗浄液槽を備えていることを特徴とする請求項１のグレーチングの巻取洗浄装置。
【発明の詳細な説明】
【０００１】
【発明の属する技術分野】
本発明は、食品工場等の排水溝に敷設されている可撓性のグレーチングを巻き取るとともにこれを洗浄することができる装置に関する。
【０００２】
【従来の技術】
食品工場等の床面には、排水溝が形成され、この排水溝にはグレーチングが敷設されている。ところで、このような食品工場等では、床面や排水溝を頻繁に洗浄する必要があり、この場合には排水溝に敷設されているグレーチングを取り外してこの排水溝内を洗浄する。
【０００３】
しかし、この排水溝に従来の単体のグレーチングを多数敷設した場合には、これらのグレーチングの取り外しや再設置に多くの時間と労力を必要とし、洗浄作業が非能率的となる不具合があった。
【０００４】
このような不具合を解消するため、比較的長尺の可撓性のグレーチングをこの排水溝に敷設することがなされている。この可撓性のグレーチングは、この排水溝を横断して配置されて荷重を支持する部材、すなわちベアリングバーを可撓性の部材、または屈曲可能なヒンジ機構等により連結したものである。
【０００５】
このような可撓性のグレーチングは、比較的長尺のものであるが、これを取り外す場合には端部からこのグレーチングをロール状に巻回してゆき、この排水溝を開放し、洗浄を行うことができるように構成されている。しかし、このような可撓性のグレーチングをロール状に巻回してゆくにはやはり多くの労力を必要とし、洗浄作業の能率化に限界があった。
【０００６】
また、このようにロール状に巻回した可撓性のグレーチングを、この排水溝から取り外してこの排水溝の側方に移動させ、排水溝を完全に開放することが好ましいが、この場合には重量の大きなロール状のグレーチングを移動させなければならず、多大の労力を必要とする。
【０００７】
また、この排水溝の洗浄とともに、このグレーチングの洗浄も行う必要があるが、この可動性のグレーチングは上記のように多数のベアリングバーをヒンジ機構等で接合したもので、構造が複雑で多くの隙間等が存在するので、食品の残滓が残りやすく、その洗浄が面倒である。特に、このような可撓性のグレーチングをロール状に巻回した場合には、その中心部の洗浄が困難となる等の新たな不具合を生じる。さらに、洗浄剤や消毒剤を含んだ洗浄液を作業員が手で扱うのは好ましいことではない。
【０００８】
【発明が解決しようとする課題】
本発明は以上の事情に基づいてなされたもので、可撓性のグレーチングを簡単かつ能率的に排水溝から巻き取るとともに、このグレーチングを容易に洗浄することができるグレーチングの巻取洗浄装置を提供するものである。
【０００９】
【課題を解決するための手段】
請求項１に記載の本発明は、本体と、この本体の下部に取り付けられ上記の可撓性のグレーチングが敷設された排水溝の幅より広い間隔で配置されこの排水溝を跨いで上記の本体をこの排水溝に沿って移動させる車輪と、上記の本体内に設けられ上記の可撓性のグレーチングを巻取および繰り出す巻取リールと、上記の本体内に設けられ上記の巻取リールに巻き取られるグレーチングを洗浄する洗浄機構とを具備したものである。
【００１０】
したがって、この本体を排水溝に沿って移動させつつ、敷設されている可撓性のグレーチングをこの本体内の巻取リールに巻取、またこのグレーチングの再敷設の場合にはこの本体を排水溝に沿って移動させつつグレーチングを繰出して排水溝に再敷設することができる。この場合に、この巻き取られたクレーチングの重量はこの本体と車輪によって支持されるので、この重量の大きいクレーチングのロールを手で移動させる必要はなく、労力が軽減され、能率的な作業を行うことができる。また、この巻き取られたグレーチングは本体内の洗浄機構によって自動的に洗浄されるので、このグレーチングの洗浄作業を極めて能率的とすることができ、また洗浄液を作業員が直接扱う必要がない。
【００１１】
また、請求項２に記載の本発明は、前記の洗浄機構は、前記の巻取リールに巻き取られるグレーチングに洗浄液を噴射するノズルおよびこのノズルに洗浄液を供給するポンプとを備えているものである。したがって、このグレーチングの洗浄をより能率的かつ確実に行うことができる。
【００１２】
また、請求項３に記載の本発明は、前記の洗浄機構は、前記の巻取リールから繰り出されるグレーチングに高圧空気を噴射する空気ノズルを備えているものである。したがって、繰り出されるグレーチングはこの高圧空気の噴流により洗浄液が除去されて乾燥されるので、作業が能率的であるとともに衛生的である。
【００１３】
また、請求項４に記載の本発明は、前記の洗浄機構は、洗浄液を貯溜し、前記の巻取リールに巻き取られるグレーチングがこの洗浄液中に浸漬される洗浄液槽を備えているものである。したがって、構造が簡単で低いコストで製造できるとともに、操作も容易である。
【００１４】
【発明の実施の形態】
以下、図を参照して本発明の実施形態を説明する。図１ないし図３には本発明の第１の実施形態のグレーチングの巻取洗浄装置を示す。
図中の１はこの装置の本体であって、概略箱状をなし、その上部にはたとえば内部の洗浄や保守のための開閉自在なカバー２が設けられている。この本体１の下部には、４個の車輪１２が設けられている。これらの車輪１２は、可撓性のグレーチング１が敷設されている排水溝２の幅より広い間隔で配置され、従ってこれらの車輪１２は排水溝２の両側の床面３に転接し、この本体１はこの排水溝２を跨ぐように配置される。
【００１５】
そして、この本体１の後部に突設されたハンドル１５を手で押してこの本体１をこの排水溝２の上をこれに沿って移動できるように構成されている。なお、この本体１の側部には駆動機構収容部１３が設けられ、また後部には洗浄機構収容部１４が設けられている。また、この本体１は高圧ホース１６を介して高圧空気供給源に接続され、また電線１７を介して電源に接続されている。また、上記の洗浄機構収容部１４の上部には、この装置の操作部１８が設けられている。
【００１６】
次に、図３を参照してこの本体１内の構成を説明する。この本体１内には、巻取リール２１が設けられ、この巻取リール２１は水平な軸２２を中心として回転自在である。そして、この巻取リール２１には、前述した可撓性のグレーチング１が少なくとも１本分巻取可能である。
【００１７】
また、この本体１の前部には、グレーチング通過口２３が形成され、このグレーチング通過口２３の近傍には一対の駆動ローラ２４が配置されており、これらの駆動ローラ２４の間にグレーチング１が所定の圧力で挟圧される。そして、これら駆動ローラ２４および上記の巻取リール２１は前記の駆動機構収容部１３内に収容された駆動機構（図示せず）により駆動され、上記のグレーチング１をこの巻取リール２１に巻取、またこの巻取リール２１から繰り出すことができるように構成されている。なお、上記の駆動機構は、前記の操作部１８によって制御される。また、この本体１の底部は、洗浄液を貯溜するリザーバタンク２５として構成されている。なお、２６はドレン弁である。
【００１８】
また、この本体１内には、洗浄機構３０が収容されている。この洗浄機構３０は、前記のリザーバタンク２５から洗浄液を吸い込み、この洗浄液を所定の圧力で吐出するポンプ３１が設けられている。また、上記の巻取リール２１の情報には、複数の洗浄液ノズル３２が設けられている。また、上記のグレーチング通過口２３の近傍にも洗浄液ノズル３３が配置され、これらの洗浄液ノズル３３は上記の駆動ローラ２４により上記の巻取リール２１に送られまたは引き出されるグレーチング１に対向している。
【００１９】
そして、上記のポンプ３１の吐出口は、フイルタ３５を介して上記の洗浄液ノズル３２，３３にそれぞれ接続されている。
また、上記のグレーチング通過口２３の近傍には、空気ノズル３４が設けられ、上記の巻取リール２１から駆動ローラ２４によって引き出されるクレーチング１に高圧空気を噴射するように構成されている。
【００２０】
次に、上記のような装置の作用を説明する。まず、前記の排水溝２およびグレーチング１を洗浄する作業に先立って、この装置の本体１を前述のように排水溝２を跨ぐように配置する。そして、この排水溝２上に敷設されている可撓性のグレーチングの一端部を引上げ、上記のグレーチング通過口２３、駆動ローラ２４を通過させ、この一端部を巻取リール２１に装着する。なお、この場合には前記のカバー１１を開くことによってこの作業を容易に行うことができる。
【００２１】
次に、前記の操作部１８を操作し、上記の巻取リール２１および駆動ローラ２４を駆動させ、グレーチング１を巻き取る。グレーチング１が長く、この巻取装置を固定したままでは巻き取れない場合には、このグレーチング１の巻取速度に合わせてこの本体１を排水溝２に沿って移動させる。
【００２２】
このようにしてグレーチング１を巻き取ってゆくが、この際に本体１内に巻き取られてゆくグレーチング１および巻取リール２１に巻き取られたグレーチング１に対して上記の洗浄液ノズル３２，３３から高圧の洗浄液が噴射される。これによって、このグレーチング１の隙間等に付着していた食品の残滓等が自動的かつ効率的に除去される。なお、洗浄の終了した液は上記の本体１のリザーバタンク２５の捕集され、ポンプ３１によって加圧された後にフイルタ３５で不純物等を除去され、再び上記の洗浄液ノズル３２，３３から噴射される。
【００２３】
このようにして１本分の可撓性のグレーチング１を巻き取った後、必要に応じてこの本体１を排水溝２の上から側方に移動させ、開放された排水溝２を洗浄する。そして、この排水溝２の洗浄が終了したら、この本体１を排水溝２の上に位置させ、上記とは逆の手順で巻取リール２１からグレーチング１を繰出して排水溝２上に再び敷設する。このグレーチング１が長く、巻取装置を固定したままでは敷設できない場合には、このグレーチング１の繰出し速度と同じ速度で本体１を移動させながらこのグレーチング１を排水溝２上に再び敷設する。
【００２４】
なお、上記の場合に、前記の空気ノズル３４から繰り出されるグレーチング１に高圧空気を噴出し、このグレーチング１に付着していた洗浄液を除去し、このグレーチングを乾燥する。よって、このグレーチングの再敷設作業が能率的かつ衛生的となる。
【００２５】
なお、本発明は上記の実施形態のものには限定されない。たとえば、図４には本発明の第２の実施形態のグレーチングの巻取洗浄装置を示す。このものは、洗浄機構３０として本体１の底部に深い洗浄液槽４０を形成してここに比較的大量の洗浄液を貯溜しておき、この洗浄液中に上記の巻取リール２１に巻き取られるグレーチング１、またはこの巻取リール２１にすでに巻き取られたグレーチング１が浸漬されるように構成したものである。なお、この実施形態のものは上記の点以外は前記の第１の実施形態と同様な構成で、図４中第１の実施形態と対応する部分には同じ符号を付してその説明を省略する。
【００２６】
この実施形態のものは、上記の第１の実施形態のものと同様にグレーチング１を巻取および繰り出すことができ、また同時にこのグレーチング１を洗浄することができる。この実施形態のものは、第１の実施形態のものと比較してその構造が簡単であり、低いコストで製造でき、また操作も簡単である。
【００２７】
さらに、本発明は前述の各実施形態にも限定されない。たとえば、洗浄機構は上記のようなものに限定されず、たとえば高圧高温の蒸気をグレーチングに吹き付けて洗浄するものでもよく、また第２の実施形態の洗浄液槽内に超音波発信器を設けてグレーチングを超音波洗浄するものでもよい。
【００２８】
【発明の効果】
上述の如く本発明によれば、この本体を排水溝に沿って移動させつつ、敷設されている可撓性のグレーチングをこの本体内の巻取リールに巻取、またこのグレーチングの再敷設の場合にはこの本体を排水溝に沿って移動させつつグレーチングを繰出して排水溝に再敷設することができる。この場合に、この巻き取られたクレーチングの重量はこの本体と車輪によって支持されるので、この重量の大きいクレーチングのロールを手で移動させる必要はなく、労力が軽減され、能率的な作業を行うことができる。また、この巻き取られたグレーチングは本体内の洗浄機構によって自動的に洗浄されるので、このグレーチングの洗浄作業を極めて能率的とすることができ、また洗浄液を作業員が直接扱う必要がないので作業が安全かつ衛生的となる等、その効果は大である。
【図面の簡単な説明】
【図１】本発明の第１の実施形態の装置の側面図。
【図２】図１の２−２矢視図。
【図３】本体内部の構成を示す図。
【図４】第２の実施形態の本体内部の構成を示す図。
【符号の説明】
１  グレーチング
２  排水溝
１０  本体
１２  車輪
２１  巻取リール
２４  駆動リール
３０  洗浄機構
３１  ポンプ
３２，３３  洗浄液ノズル
３４  空気ノズル
４０  洗浄液槽
【図１】
0003781860.tif 000002
【図２】
0003781860.tif 000003
【図３】
0003781860.tif 000004
【図４】
0003781860.tif 000005